(57)【特許請求の範囲】
【請求項１】
文字を入力する入力手段と、
入力された前記文字を表示する表示手段と、
前記表示手段に表示された前記文字の位置を指定するカーソルと、
品詞情報と関連付けられた先頭に漢字を持つ単語とその読み仮名の対応関係を頻度情報と共に記憶した漢字仮名変換辞書手段と、
単漢字の音訓読み仮名を記憶した音訓辞書手段と、
前記漢字仮名変換辞書手段を用いて、前記カーソル位置に存在する漢字を先頭に持つ前記単語に対応する読み仮名を出力する漢字仮名変換手段と、を備え、
前記漢字仮名変換手段は、前記表示手段に表示されている文字列のうち、前記カーソル位置に存在する漢字を含む複数の文字からなる文字列を取り込み、当該取り込んだ文字列中の漢字を持つ単語を前記漢字仮名変換辞書手段から検索し、
該当する前記単語が１つのみ存在するときには、当該単語の読み仮名を前記表示手段に出力し、
該当する前記単語が複数存在するときには、前記頻度情報を参照して前記表示手段への出力順位を決定し、頻度が最も高い当該単語の読み仮名を前記表示手段に出力し、
該当する前記単語が存在しないときには、前記音訓辞書手段を検索して前記カーソル位置に存在する漢字の音訓読み仮名を前記表示手段に出力するよう構成されていることを特徴とする漢字仮名変換装置。
【請求項２】
前記漢字仮名変換手段は、漢字から変換された仮名を別の読みの仮名に変換し選択されたときにその情報を学習し、次回前記漢字から仮名に変換するとき前記別の読みの仮名を優先して出力するよう前記表示手段への出力順位を決定することを特徴とする請求項１記載の漢字仮名変換装置。
【請求項３】
前記漢字仮名変換手段は、前記該当する前記単語が複数存在するときには、前記カーソル位置の直前の仮名を助詞として前記助詞と前記単語の組み合せを持った用例辞書を検索し、該当する前記助詞と前記単語の組み合せを持った用例があれば該当する前記助詞との組み合せを持つ前記単語の読み仮名を優先して出力するよう前記表示手段への出力順位を決定することを特徴とする請求項１記載の漢字仮名変換装置。
【発明の詳細な説明】
【０００１】
【発明の属する技術分野】
本発明は、日本語ワードプロセッサ、ＤＴＰ、携帯端末装置等に適用される漢字仮名変換装置に関するものである。
【０００２】
【従来の技術及び発明が解決しようとする課題】
従来、特開昭６３−２７９５９号公報では、仮名漢字変換したときに文章バッファに漢字を蓄えると同時に取り消し用に仮名の情報を蓄え、対応させることで仮名への取り消しを実現している。しかしそのために、呼び出した文章の漢字を仮名にすることはできなかった。また、取り消し用の仮名バッファは文章バッファよりも多く必要で、文章バッファと対応させるための情報と処理も必要になる。
【０００３】
図１６が上記従来の公報の全体の構成図である。図１７が文章バッファと、それに対応する仮名バッファの例である。仮名が文章のどの文字列に対応するかを管理する必要があるという欠点がある。
【０００４】
また、登録時に仮名の情報を付加して文章を登録する方法も実現されていたが、ＦＤ等に保存する容量が増えるため非効率である。
【０００５】
そこで、従来は仮名と漢字を対応付けて保存する必要があったが、本発明の目的は、漢字仮名変換用の辞書で仮名に戻し、バッファの容量を削減する。呼び出した文章に対しても仮名に戻せるようにすることである。
【０００６】
そこで、本発明の大前提は、漢字の読みが複数あるときに、選択できるようにすることである。
【０００７】
具体的に本発明の目的は、漢字の読みが複数あるときに、頻度情報又は優先情報を付加して効率よく選択できるようにすることである。
また具体的に本発明の目的は、漢字仮名変換辞書に候補がなかった場合に音訓の読みに変換することで操作性をアップさせることである。
【０００８】
また具体的に本発明の目的は、漢字の読みが複数あるときに、一度選択されたら次から効率よく選択できるようにすることである。
【０００９】
また具体的に本発明の目的は、漢字の読みが複数あるときに、直前の仮名を助詞として用例辞書から仮名を絞り込み、効率よく選択できるようにすることである。
【００１１】
（削除）
【００１２】
（削除）
【００１３】
【課題を解決するための手段】
本発明は、上記課題の解決を目的としてなされたもので、本発明に従った漢字仮名変換装置は、文字を入力する入力手段と、入力された前記文字を表示する表示手段と、前記表示手段に表示された前記文字の位置を指定するカーソルと、品詞情報と関連付けられた先頭に漢字を持つ単語とその読み仮名の対応関係を頻度情報と共に記憶した漢字仮名変換辞書手段と、単漢字の音訓読み仮名を記憶した音訓辞書手段と、前記漢字仮名変換辞書手段を用いて、前記カーソル位置に存在する漢字を先頭に持つ前記単語に対応する読み仮名を出力する漢字仮名変換手段と、を備え、前記漢字仮名変換手段は、前記表示手段に表示されている文字列のうち、前記カーソル位置に存在する漢字を含む複数の文字からなる文字列を取り込み、当該取り込んだ文字列中の漢字を持つ単語を前記漢字仮名変換辞書手段から検索し、該当する前記単語が１つのみ存在するときには、当該単語の読み仮名を前記表示手段に出力し、該当する前記単語が複数存在するときには、前記頻度情報を参照して前記表示手段への出力順位を決定し、頻度が最も高い当該単語の読み仮名を前記表示手段に出力し、該当する前記単語が存在しないときには、前記音訓辞書手段を検索して前記カーソル位置に存在する漢字の音訓読み仮名を前記表示手段に出力するよう構成されていることを特徴としている。
【００１４】
本発明では、前記漢字仮名変換手段は、漢字から変換された仮名を別の読みの仮名に変換し選択されたときにその情報を学習し、次回前記漢字から仮名に変換するとき前記別の読みの仮名を優先して出力するよう前記表示手段への出力順位を決定することが好ましい。
【００１５】
本発明では、前記漢字仮名変換手段は、前記該当する前記単語が複数存在するときには、前記カーソル位置の直前の仮名を助詞として前記助詞と前記単語の組み合せを持った用例辞書を検索し、該当する前記助詞と前記単語の組み合せを持った用例があれば該当する前記助詞との組み合せを持つ前記単語の読み仮名を優先して出力するよう前記表示手段への出力順位を決定することが好ましい。
【００１８】
（削除）
【００１９】
（削除）
【００２０】
（削除）
【００２１】
（削除）
【００２２】
参考までに発明の実施によれば、文章バッファ上のカーソル位置の前後の文字列、又は文章バッファ上の領域指定された文字列を取り出す手段で、ユーザーが指定した漢字列を取り出せる。
【００２３】
また、漢字をコード順にソートし、漢字を索引（インデックス）として漢字から仮名への変換用辞書で、取り出した漢字から仮名への変換を行える。
【００２４】
得られた仮名をセットする複数の候補バッファで、複数ある候補を蓄えておくことができる。
【００２５】
第１候補以外の仮名を選択された場合に、格納する学習バッファで、２回目からの漢字仮名変換で１番目に出るようにし、操作性をアップさせることができる。
【００２６】
複数の候補がある場合、辞書に格納されている頻度情報から、候補バッファを頻度順にソートする手段で、一般に一番よく使われている単語が１番目の候補になるようにすることができる。
【００２７】
複数の候補がある場合、学習バッファにある候補を候補バッファの先頭に入れ替える手段で、２回目からの漢字仮名変換で１番目に出るようにし、操作性をアップさせることができる。
【００２８】
助詞と単語のペアをもった用例辞書と複数の候補がある場合、文章バッファの直前の文字が仮名であれば、その仮名と漢字の組み合わせを検索する手段で、複数ある候補から正しい候補を１番目の候補になるようにすることができる。
【００２９】
（作用）
本発明によれば、漢字仮名変換辞書を用いて漢字から仮名を検索する時に、複数の仮名を検索した場合に指示により順次表示して行く。
【００３０】
本発明によれば、漢字仮名変換辞書を用いて漢字から仮名を検索する時に、複数の仮名に変換するときに、頻度情報又は優先情報を辞書から取り出し、得点の高いものから表示して行く。
【００３１】
本発明によれば、漢字仮名変換辞書を用いて漢字から仮名を検索したときに候補がなかったら、音訓辞書の読みを検索する。
また、本発明によれば、漢字仮名変換辞書を用いて漢字から仮名を検索する時に、複数の仮名に変換するときに、辞書から取り出した順番ではないものを選んだときに学習バッファに蓄え、次の漢字仮名変換のときに学習バッファを検索し辞書に格納されている順序とは違う順序で表示して行く。
【００３２】
本発明によれば、漢字仮名変換辞書を用いて漢字から仮名を検索する時に、複数の仮名を検索した場合に直前の仮名を助詞として用例辞書から助詞の用例を検索し辞書に格納されている順序とは違う順序で表示して行く。
【００３４】
（削除）
【００３５】
（削除）
【００３６】
（削除）
【００３７】
【発明の実施の形態】
本発明は、文章バッファ上のカーソル位置の前後の文字列、又は文章バッファ上の領域指定された文字列を取り出す手段と、漢字をコード順にソートし、漢字を索引（インデックス）として漢字から仮名への変換用辞書と、得られた仮名をセットする複数の候補バッファと、第１候補以外の仮名を選択された場合に、格納する学習バッファと、複数の候補がある場合、辞書に格納されている頻度情報から、候補バッファを頻度順にソートする手段と、複数の候補がある場合、学習バッファにある候補を候補バッファの先頭に入れ替える手段と、助詞と単語のペアをもった用例辞書と、複数の候補がある場合、文章バッファの直前の文字が仮名であれば、その仮名と漢字の組み合わせを検索する手段とをもった漢字仮名変換装置である。
【００３８】
以下に、本発明の漢字仮名変換装置及びその処理方法の実施の形態を詳細に説明する。尚、これによって、これらの実施の形態に本発明は限定されるものではないことは勿論である。
【００３９】
図１は本発明の漢字仮名変換装置の実施の形態の全体構成図である。全体を制御するＣＰＵ１−１、仮名を入力するキーボード１−２、入力した文字を表示するＣＲＴ１−４、入力した文字を印刷する印刷装置１−３、入力した文字を蓄える文章バッファ１−５、文章バッファのカーソル位置を示すカーソルポインター１−６、範囲指定された位置を示す範囲指定ポインター１−７、入力した仮名を漢字に変換する仮名漢字変換装置１−８、確定した漢字を仮名に変換する漢字仮名変換装置１−９、仮名から漢字に変換するための仮名漢字変換辞書１−１０、漢字から仮名に変換するための漢字仮名変換辞書１−１１、漢字に変換するための仮名をセットする仮名漢字変換バッファ１−１２、仮名に変換するための漢字をセットする漢字仮名変換バッファ１−１３、助詞と単語のペアをもった用例辞書１−１４からなる。
【００４０】
カーソルポインター（１−６）は現在のカーソル位置を示す。範囲指定ポインター１（１−７）、範囲指定ポインター２（１−７´）は範囲指定された文字の先頭と最後を示す。範囲指定ポインターで囲まれた文字列を文章バッファ（１−５）から取り出し、漢字仮名変換バッファ（１−１３）にセットし、漢字仮名変換処理装置（１−１１）で、漢字から仮名を検索し、検索された仮名を仮名漢字変換バッファ（１−１２）にセットする。
【００４１】
図２は“を漢字仮名変換する”の“漢字仮名変換”が領域指定されており、カーソルが“変”にある場合である。“漢字仮名変換”が漢字仮名変換バッファにセットされ、漢字仮名変換辞書から“漢字”を見出しとして“かんじ”が検索され、候補バッファにセットされる。他に候補がないため候補バッファ１−１５の“かんじ”を仮名漢字変換バッファにセットする。その後は通常の仮名漢字変換と同じ処理となる。
【００４２】
以下、単語“行う”を例にとった場合、
語幹：    行
語尾：    う
と定義する。このように、単語のうち語尾変化する部分を語尾、変換しない所を語幹という。また、変化する単語を用言、変化しない単語を体言と言う。
【００４３】
用言：動詞      行く
形容詞    赤い
形容動詞  堂々たる
体言：名詞      人間
接続詞    しかし
副詞      とても
用例辞書とは、
“たつ”            “きく”
時が経つ            〜を聞く
酒を断つ            〜が効く
上記のように“たつ”で同音異義語をユーザーが使い分けるのを手助けするために、関係する単語同士、単語と助詞などのペアをもっている辞書のことを意味する。
【００４４】
図３は“講演を行った”の“行”にカーソルがある場合の図である。“行った”を漢字仮名変換バッファに取り込み、漢字仮名変換辞書から“行く”“行う”を取り出し、語尾処理を行い“いった”“おこなった”の２つの候補を候補バッファにセットする。頻度は“いく”の方が高いが、カーソルの前の仮名“を”を取り出し、用例辞書を検索すると、“を”と“行う”があるため、頻度は低いが“おこなった”を第１候補として仮名漢字変換バッファにセットする。
【００４５】
図４は“行った”の場合の仮名への変換のときの候補であり、“おこなった”と“いった”の２通りの候補がありえる。
【００４６】
図５は実際の“行った”の場合の仮名への変換のときの画面である。“行った”の“行”にカーソルを移動して、取り消しキーを押すと、“いった”になる。再度取り消しキーを押すと“おこなった”になる。
【００４７】
図６は用例辞書を使って、変換率をアップした例である。上の図は“に行った”の“行”にカーソルを移動して、取り消しキーを押すと、図７の用例辞書を検索して“いった”になる。“おこなった”にはならない。下の図は“を行った”の“行”にカーソルを移動して、取り消しキーを押すと、図７の用例辞書を検索して“おこなった”になり、“いった”にはならない。
【００４８】
図７は一般にＡＩ辞書と呼ばれている用例辞書の一例である。助詞の“に”と動詞の“行く”、助詞の“を”と動詞の“行う”のつながりが強い事を示している。
【００４９】
図８は仮名漢字変換辞書と漢字仮名変換辞書を統合した辞書の例である。仮名からも、漢字からも品詞頻度情報を検索でき、品詞頻度情報から漢字と仮名の情報を検索できる。仮名漢字変換のときは、入力された仮名のデータから品詞情報を取り出し、続いて品詞情報から漢字情報を取り出し、画面に漢字情報を表示する。漢字仮名変換辞書のときは、画面に表示されている漢字のデータから品詞情報を取り出し、続いて品詞情報から仮名情報を取り出し、画面に仮名情報を表示する。通常の仮名漢字変換辞書では、仮名から漢字情報と品詞情報へのアクセスしかできない。“行った”で“いった”が先に出力されるのは“いく”の頻度情報（６−１）が“おこなう”（６−２）より高いためである。
【００５０】
図９はカーソル位置から仮名に変換するときに結果が変わる例である。“仕入金額”の“仕”にカーソルがある場合は、辞書から“仕入”を探し、“しいれ”を結果として返す。“入”にカーソルがある場合は、辞書から“入金”を探し、“にゅうきん”を結果として返す。“金”にカーソルがある場合は、辞書から“金額”を探し、“きんがく”を結果として返す。“額”にカーソルがある場合は、辞書から“額”を探し、“がく”を結果として返す。
【００５１】
図１０は学習バッファの例である。仮名漢字変換の場合は仮名漢字変換の学習バッファ（８−１）に複数個の漢字の中から選択された漢字の情報が入っている。漢字仮名変換の場合は漢字仮名変換の学習バッファ（８−２）に複数個の仮名の中から選択された仮名の情報が入っている。仮名漢字変換でも、漢字仮名変換でも共通する品詞頻度情報の連番を入れることにより、この２つのバッファを統合して１つの学習バッファ（８−３）にすることも可能である。図８で“いく”が“おこなう”より頻度が高くても、学習バッファに“おこなう”の情報があれば、先に“おこなう”となる。
【００５２】
図１１は範囲指定した場合の漢字仮名変換の例である。図１１（ａ）は２カ所を、図１１（ｂ）は１カ所を範囲指定している。２カ所の場合はその２カ所で挟まれた文字“発明”を取り出し、漢字仮名変換辞書から仮名を探し、“はつめい”を出力する。１カ所の場合はカーソル以降辞書に登録されている最大文字数例えば１６文字を取り出す。この場合は“発明のフローチャートは次頁に”を取り出し、漢字仮名変換辞書から仮名を探し、“はつめい”を出力する。
【００５３】
出力された仮名は仮名漢字変換の仮名バッファに転送され、表示される。その後は通常の仮名漢字変換の操作と同じように仮名を修正し、変換キーで修正された仮名を仮名漢字変換装置に送り仮名漢字変換を行える。
【００５４】
２カ所範囲指定され漢字仮名変換辞書に漢字が不足して完全一致するものがない場合は、続けて漢字仮名変換辞書を引き、複文節の漢字仮名変換を行う。図１１（ｃ）の場合は“仮名漢字変換”は“仮名”“漢字”“変換”の３文節の漢字を辞書から取り出し、“かな”“かんじ”“へんかん”を取り出し、“かなかんじへんかん”と出力する。
【００５５】
漢字仮名変換辞書に全く一致するものがない場合は、音訓辞書の逆引きを行う。図１１（ｅ）の場合は“換”を取り出し、辞書を引くが送り仮名が“える”となる“換える”は一致しないため、音訓辞書を逆引きし、“かん”を出力する。図１１（ｄ）はカーソル位置から一致する単語を取り出せなかった場合の例である。範囲指定されていなく、一致する単語がなかった場合は、カーソル位置の前の漢字の先頭から漢字仮名変換バッファへ漢字列をセットして、漢字仮名変換をやり直す。
【００５６】
図１２〜図１６は本発明のフローチャートである。範囲指定キーが押されると（ステップＳ１。以下単に「Ｓ１」という。）、既に範囲指定キーが押されていれば（Ｓ２）、２つ目の範囲指定ポインターに現在のカーソル位置をセットする（Ｓ５）。既に押されていなければ１つ目の範囲指定ポインターに現在のカーソル位置をセットする（Ｓ４）。
【００５７】
キーボード１−１から漢字仮名変換キーを押されると（Ｓ６）、範囲指定されているかチェックし（Ｓ７）、されていれば、１カ所されているか２カ所されているかをチェックする（Ｓ８）。２カ所されていれば文章バッファの２カ所に挟まれた文字列を文章から取り出し（Ｓ１０）、漢字仮名変換バッファにセットする（Ｓ１３）。１カ所されていれば文章バッファのポインター位置から辞書に登録されている最大長文字分を漢字仮名変換バッファにセットする（Ｓ９）。１カ所もセットされていなければ、カーソル位置から漢字が途切れた位置から辞書に登録されている自立語の語尾の最大文字数分まで（“行う”なら“う”が語尾となる、“調査する”なら“する”が語尾となる）取り込む（Ｓ１２）。
【００５８】
続いて漢字仮名変換装置は、漢字仮名バッファにセットされた文字列に該当する漢字列を漢字仮名変換辞書から探す（Ｓ１４）。漢字部が最大文字数一致した単語を候補として、その仮名を仮名漢字変換バッファにセットする（Ｓ１６）。引き続き辞書を探し（Ｓ１７）、別の仮名があれば（Ｓ１９）、まず学習バッファに学習されていないかチェックする（Ｓ２０）。学習されていれば、学習されている単語の仮名を仮名漢字変換バッファにセットし直す（Ｓ２５）。学習バッファに学習されていなければ、用例辞書に登録されていないかチェックする（Ｓ２１，Ｓ４２〜Ｓ４６）。登録されていれば登録されている単語の仮名を仮名漢字変換バッファにセットし直す（Ｓ２２）。
【００５９】
用例辞書にもなければ、次に両者の頻度をチェックし（Ｓ２３）、頻度の高い単語の仮名を仮名漢字変換バッファにセットし直す（Ｓ２４）。漢字仮名変換バッファにまだ仮名に変換されていない単語があれば、引き続き同じ事を繰り返す。範囲指定されていて、辞書に無く、漢字が１文字の場合は（Ｓ３０）、音訓辞書の漢字から仮名を取り出し（Ｓ３２）、その仮名を仮名漢字変換バッファにセットする（Ｓ３３）。
【００６０】
範囲指定されていない場合は、カーソルポインターの前の文字が漢字かチェックする。漢字の場合は文章バッファの１つ前の漢字から取り込み直し（Ｓ３５）、漢字仮名変換を繰り返す。それでも一致しない場合は、カーソルポインターの前の漢字列の先頭の漢字から取り込み直し（Ｓ３７）、漢字仮名変換を繰り返す。それでも一致しない場合は、音訓辞書の漢字から仮名を取り出し（Ｓ４０）、その仮名を仮名漢字変換バッファにセットする（Ｓ４１）。
【００６１】
再度キーボードから漢字仮名変換キーが押されると（Ｓ２７）、複数の仮名候補がある場合には、次の仮名候補を仮名漢字変換バッファにセットする（Ｓ２８）。
【００６２】
漢字仮名変換キーは仮名漢字変換処理時に使う“取り消し”キーで代用してもよい。代用することで変換直後の仮名への取り消しと、漢字に確定した後の仮名への変換が同じ操作で実現でき、操作性がアップする。
【００６３】
その他、本発明は上記しかつ図面に示した実施の形態のみに限定されるものではなく、要旨を逸脱しない範囲内で適宜変形して実施できることは勿論である。
【００６４】
【発明の効果】
以上のように本発明により、仮名のバッファが不要になり、仮名と漢字の対応を取る処理が不要になる。呼び出した文章でも漢字仮名変換が可能になる。
【００６５】
本発明によれば、複数の仮名があるときに単純な操作で仮名を選択できる。
また本発明によれば、情報を追加することで、複数の仮名があるときに効率よく見つけられる。
【００６６】
本発明によれば、漢字仮名変換辞書になかったら自動的に音訓辞書の読みに切り替えることで、ややこしい指示なしで検索できる。
また、学習を追加することで、複数の仮名があるときに効率よく見つけられる。
【００６７】
本発明によれば、前の仮名と用例辞書の情報で、複数の仮名があるときに効率よく見つけられる。
【００６９】
更に、仮名の情報を仮名漢字変換に利用でき、文章に修正が簡単になる。
【００７０】
更に、カーソル位置を漢字の先頭とすることで、ややこしい指示なしで、漢字を指示できる。
【００７１】
更に、カーソル位置を漢字の先頭として無いときにカーソルの漢字の先頭を漢字の先頭とすることで、ややこしい指示なしで、漢字を指示できることができる。
【００７２】
更にまた、範囲を指定することで正確に早く漢字を見つけられることができる。
【図面の簡単な説明】
【図１】本願の漢字仮名変換装置の実施の形態の全体の構成図である。
【図２】本願の漢字仮名変換装置の実施の形態の全体の構成図である。
【図３】本願の漢字仮名変換装置の実施の形態の全体の構成図である。
【図４】本願の漢字仮名変換の例を示す図である。
【図５】本願の漢字仮名変換の画面表示例を示す図である。
【図６】本願の漢字仮名変換装置の用例を使って変換率を上げた漢字仮名変換の例を示す図である。
【図７】本願の漢字仮名変換装置の用例辞書の例を示す図である。
【図８】本願の漢字仮名変換装置の仮名漢字、漢字仮名共用辞書の例を示す図である。
【図９】本願の漢字仮名変換装置のカーソル位置による変換結果の例を示す図である。
【図１０】本願の漢字仮名変換装置の学習バッファの例を示す図である。
【図１１】本願の漢字仮名変換装置にて領域指定した例を示す図である。
【図１２】本願の漢字仮名変換装置の動作のフローチャートを示す図である。
【図１３】本願の漢字仮名変換装置の動作のフローチャートを示す図である。
【図１４】本願の漢字仮名変換装置の動作のフローチャートを示す図である。
【図１５】本願の漢字仮名変換装置の動作のフローチャートを示す図である。
【図１６】従来の漢字仮名変換装置の全体構成図である。
【図１７】従来のバッファ管理図である。
【符号の説明】
１−１    ＣＰＵ
１−２    キーボード
１−３    印刷装置
１−４    ＣＲＴ
１−５    文章バッファ
１−６    カーソルポインター
１−７    カーソルポインター
１−８    仮名漢字変換装置
１−９    漢字仮名変換装置
１−１０  仮名漢字変換辞書
１−１１  漢字仮名変換辞書
１−１２  仮名漢字変換バッファ
１−１３  漢字仮名変換バッファ
１−１４  用例辞書
【図１】
0003914590.tif 000002
【図２】
0003914590.tif 000003
【図３】
0003914590.tif 000004
【図４】
0003914590.tif 000005
【図５】
0003914590.tif 000006
【図６】
0003914590.tif 000007
【図７】
0003914590.tif 000008
【図８】
0003914590.tif 000009
【図９】
0003914590.tif 000010
【図１０】
0003914590.tif 000011
【図１１】
0003914590.tif 000012
【図１２】
0003914590.tif 000013
【図１３】
0003914590.tif 000014
【図１４】
0003914590.tif 000015
【図１５】
0003914590.tif 000016
【図１６】
0003914590.tif 000017
【図１７】
0003914590.tif 000018